(57)【要約】【課題】複数の基地局間でのＣＡ通信中にＳＣＣを削除することができること。【解決手段】移動局装置は、第１の基地局装置との通信に用いる第１のコンポーネントキャリアと、第２の基地局装置との通信に用いる第２のコンポーネントキャリアと、を用いてキャリアアグリゲーションを行う通信部と、キャリアアグリゲーションに用いるコンポーネントキャリアから前記第２のコンポーネントキャリアを切断する切断要求を、前記第１のコンポーネントキャリアを用いて送信する切断要求部と、を備える。基地局装置は、切断要求に基づいて、キャリアアグリゲーション中の前記第２のコンポーネントキャリアを切断する準備をさせる第１の切断準備要求を第２の基地局装置へ通知する切断準備要求部を備える。【選択図】図１
2014003440.tif 000002
【特許請求の範囲】
【請求項１】
第１の基地局装置と、第２の基地局装置と、前記第１の基地局装置および前記第２の基地局装置と通信する移動局装置と、を具備する無線通信システムであって、
前記移動局装置は、
前記第１の基地局装置との通信に用いる第１のコンポーネントキャリアと、前記第２の基地局装置との通信に用いる第２のコンポーネントキャリアと、を用いてキャリアアグリゲーションを行う通信部と、
キャリアアグリゲーションに用いるコンポーネントキャリアから前記第２のコンポーネントキャリアを切断する切断要求を、前記第１のコンポーネントキャリアを用いて送信する切断要求部と、
を備え、
前記第１の基地局装置は、
前記切断要求に基づいて、キャリアアグリゲーション中の前記第２のコンポーネントキャリアを切断する準備をさせる第１の切断準備要求を前記第２の基地局装置へ通知する切断準備要求部
を備えること
を特徴とする無線通信システム。
【請求項２】
前記切断準備要求部は、前記切断要求に基づいて、キャリアアグリゲーション中の前記第２のコンポーネントキャリアを切断する準備をさせる第２の切断準備要求を前記移動局装置へ通知する切断準備要求部を備えること
を特徴とする請求項１に記載の無線通信システム。
【請求項３】
前記第２の基地局装置は、
前記第１の切断準備要求に基づいて、キャリアアグリゲーション中の前記第２のコンポーネントキャリアを切断する準備をさせる第２の切断準備要求を前記移動局装置へ通知する切断準備要求部を備えること
を特徴とする請求項１に記載の無線通信システム。
【請求項４】
前記移動局装置は、
それぞれの前記第１の基地局装置または前記第２の基地局装置との通信に用いるコンポーネントキャリア各々を用いてキャリアアグリゲーションを行う前記通信部と、
前記通信部において、コンポーネントキャリア各々の通信環境を検出する通信環境検出部と、
を備えること
を特徴とする請求項１に記載の無線通信システム。
【請求項５】
第２のコンポーネントキャリアを切断する切断要求を、第１のコンポーネントキャリアを用いて取得し、取得した切断要求に基づいて、キャリアアグリゲーション中の前記第２のコンポーネントキャリアを切断する準備をさせる切断準備要求を第２の基地局装置へ通知すること
を特徴とする基地局装置。
【請求項６】
移動局装置との通信に用いる第２のコンポーネントキャリアを切断する準備をさせる第１の切断準備要求を、他の基地局装置から受信し、受信した切断準備要求に基づいて、キャリアアグリゲーション中の前記第２のコンポーネントキャリアを切断する準備をさせる第２の切断準備要求を前記移動局装置へ通知すること
を特徴とする基地局装置。
【請求項７】
第１の基地局装置との通信に用いる第１のコンポーネントキャリアと、第２の基地局装置との通信に用いる第２のコンポーネントキャリアと、を用いてキャリアアグリゲーションを行う通信部と、
キャリアアグリゲーションに用いるコンポーネントキャリアから前記第２のコンポーネントキャリアを切断する切断要求を、前記第１のコンポーネントキャリアを用いて送信する切断要求部と、
を備えること
を特徴とする移動局装置。
【請求項８】
第１の基地局装置と、第２の基地局装置と、前記第１の基地局装置および前記第２の基地局装置と通信する移動局装置と、を具備する無線通信システムにおける無線通信方法であって、
前記第１の基地局装置に対してキャリアアグリゲーションの切断を要求する第１の過程と、
前記要求を受信すると、前記第２の基地局装置にコンポーネントキャリアの切断準備を要求する第２の過程と、
該要求を受信すると、前記第１の基地局装置にコンポーネントキャリアを切断することを通知する第３の過程と、
を有すること
を特徴とする無線通信方法。
【発明の詳細な説明】
【技術分野】
【０００１】
本発明は、無線通信システム、無線通信方法、移動局装置および基地局装置に関する。
【背景技術】
【０００２】
３ＧＰＰ（第３世代パートナーシッププロジェクト；３ｒｄ Ｇｅｎｅｒａｔｉｏｎ Ｐａｒｔｎｅｒｓｈｉｐ Ｐｒｏｊｅｃｔ）では、現在、ＬＴＥ−Ａ（エルティーイーエー、ロングタームエボリューションアドバンス；Ｌｏｎｇ Ｔｅｒｍ Ｅｖｏｌｕｔｉｏｎ−Ａｄｖａｎｃｅｄ）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域幅を越え、１００ＭＨｚまでの帯域幅）をサポートすることが決まっている。
【０００３】
ＬＴＥ−Ａでは、ＬＴＥとの互換性を可能な限り維持する目的から、キャリアアグリゲーション（ＣＡ：ＣＡｒｒｉｅｒ Ａｇｇｒｅｇａｔｉｏｎ）技術が採用されている。ＣＡ技術では、通信装置は、コンポーネントキャリア（ＣＣ：Ｃｏｍｐｏｎｅｎｔ ＣＡｒｒｉｅｒ）と呼ばれる帯域幅２０ＭＨｚまでのＣＣを複数利用して通信を行う。これにより、通信装置は、最大１００ＭＨｚの帯域幅の帯域を確保でき、この帯域を利用して、高速かつ大容量の通信を実現できる（非特許文献１の５．５章  参照）。
【０００４】
ＣＡ技術には、ＣＣが利用する周波数帯域（周波数バンド）の利用方法により、３つの方式が存在する。
（１）同周波数帯域（周波数バンド）で、連続した周波数帯を利用する（Ｉｎｔｅｒ−ｂａｎｄ  Ｃｏｎｔｉｇｕｏｕｓ ＣＡ）。
（２）同周波数帯域（周波数バンド）で、分散した周波数帯を利用する（Ｉｎｔｅｒ−ｂａｎｄ  Ｎｏｎ−Ｃｏｎｔｉｇｕｏｕｓ  ＣＡ）。
（３）異なる周波数帯域（周波数バンド）の周波数帯を利用する（Ｉｎｔｅｒ−ｂａｎｄ  Ｎｏｎ−Ｃｏｎｔｉｇｕｏｕｓ  ＣＡ）。
【０００５】
従来から検討されているＣＡ技術は、移動局装置と一つのマクロセル基地局装置との間についてのものである。ＣＡ技術では、移動局装置からのＰＵＣＣＨ（物理上り制御チャネル；ＰｈｙｓｉＣＡｌ Ｕｐｌｉｎｋ Ｃｏｎｔｒｏｌ Ｃｈａｎｎｅｌ）を、一つのＣＣを用いて送信する。
【０００６】
ＣＡ技術では、ＰＵＣＣＨを送信するＣＣをＰＣＣ（Ｐｒｉｍａｒｙ Ｃｏｍｐｏｎｅｎｔ ＣＡｒｒｉｅｒ）とし、ＰＵＣＣＨを送信しないＣＣをＳＣＣ（Ｓｅｃｏｎｄａｒｙ Ｃｏｍｐｏｎｅｎｔ ＣＡｒｒｉｅｒ）としている。
【０００７】
従来のマルチキャリア通信では、ＰＣＣ／ＳＣＣの概念がなく、２つの周波数帯域で、同じ信号を独立して利用することができた。また、新たな周波数帯域（周波数バンド）を追加する場合は、その追加する周波数帯域を使ってＰＲＡＣＨ送信を行い、同期をとって、接続処理をし、周波数帯域を追加できた。
ＣＡ技術を用いた通信では、接続処理ができるのは第１のＣＣであるＰＣＣだけに限られている（非特許文献１の７．５章  参照）。
【０００８】
従来のＣＡ技術では、移動局装置は、単一の基地局装置のＰＣＣとＳＣＣを用いて通信を行っていた。従って、ＳＣＣを切断するためには、移動局装置は、ＰＣＣを用いて、基地局装置に対して、ＳＣＣの切断要求通知を送信する。基地局装置は、自装置が受信した切断要求通知に基づいて、自装置でのＳＣＣを用いた通信を切断することができた。
【先行技術文献】
【非特許文献】
【０００９】
【非特許文献１】３ＧＰＰ  ＴＳ  ３６．３００Ｖ１１．０．０  （２０１１−１２）
【発明の概要】
【発明が解決しようとする課題】
【００１０】
しかしながら、無線通信システムでは、移動局装置がＰＣＣを使用して通信を行う基地局装置と、移動局装置がＳＣＣを利用して通信を行う基地局装置とが異なる場合がある。その場合には、従来のように、移動局装置は、ＰＣＣを利用して通信を行う基地局装置に対して、ＳＣＣの切断要求通知を送信しても、移動局装置とＳＣＣを利用した通信を切断できないという問題がある。
【００１１】
本発明は、このような事情を鑑みてなされたもので、複数の基地局間でのＣＡ通信中にＳＣＣを切断することができる、無線通信システム、無線通信方法、移動局装置および基地局装置を提供することにある。
【課題を解決するための手段】
【００１２】
（１）この発明は上述した課題を解決するためになされたもので、第１の基地局装置と、第２の基地局装置と、前記第１の基地局装置および前記第２の基地局装置と通信する移動局装置と、を具備する無線通信システムであって、前記移動局装置は、前記第１の基地局装置との通信に用いる第１のコンポーネントキャリアと、前記第２の基地局装置との通信に用いる第２のコンポーネントキャリアと、を用いてキャリアアグリゲーションを行う通信部と、キャリアアグリゲーションに用いるコンポーネントキャリアから前記第２のコンポーネントキャリアを切断する切断要求を、前記第１のコンポーネントキャリアを用いて送信する切断要求部と、を備え、前記第１の基地局装置は、前記切断要求に基づいて、キャリアアグリゲーション中の前記第２のコンポーネントキャリアを切断する準備をさせる第１の切断準備要求を前記第２の基地局装置へ通知する切断準備要求部を備えることを特徴とする無線通信システムである。
【００１３】
（２）また、本発明の他の態様は、（１）に記載の無線通信システムであって、前記切断準備要求部は、前記切断要求に基づいて、キャリアアグリゲーション中の前記第２のコンポーネントキャリアを切断する準備をさせる第２の切断準備要求を前記移動局装置へ通知する切断準備要求部を備えることを特徴とする。
【００１４】
（３）また、本発明の他の態様は、（１）に記載の無線通信システムであって、前記第２の基地局装置は、前記第１の切断準備要求に基づいて、キャリアアグリゲーション中の前記第２のコンポーネントキャリアを切断する準備をさせる第２の切断準備要求を前記移動局装置へ通知する切断準備要求部を備えることを特徴とする。
【００１５】
（４）また、本発明の他の態様は、（１）に記載の無線通信システムであって、前記移動局装置は、それぞれの前記基地局装置との通信に用いるコンポーネントキャリアを用いてキャリアアグリゲーションを行う前記通信部と、前記通信部において、コンポーネントキャリア毎の通信環境を検出する通信環境検出部と、を備えることを特徴とする。
【００１６】
（５）また、本発明の他の態様は、基地局装置であって、第２のコンポーネントキャリアを切断する切断要求を、第１のコンポーネントキャリアを用いて取得し、取得した切断要求に基づいて、キャリアアグリゲーション中の前記第２のコンポーネントキャリアを切断する準備をさせる切断準備要求を第２の基地局装置へ通知する切断準備要求部を備えることを特徴とする。
【００１７】
（６）また、本発明の他の態様は、基地局装置であって、移動局装置との通信に用いる第２のコンポーネントキャリアを切断する準備をさせる第１の切断準備要求を、他の基地局装置から受信し、受信した切断準備要求に基づいて、キャリアアグリゲーション中の前記第２のコンポーネントキャリアを切断する準備をさせる第２の切断準備要求を前記移動局装置へ通知することを特徴とする。
【００１８】
（７）また、本発明の他の態様は、移動局装置であって、第１の基地局装置との通信に用いる第１のコンポーネントキャリアと、第２の基地局装置との通信に用いる第２のコンポーネントキャリアと、を用いてキャリアアグリゲーションを行う通信部と、キャリアアグリゲーションに用いるコンポーネントキャリアから前記第２のコンポーネントキャリアを切断する切断要求を、前記第１のコンポーネントキャリアを用いて送信する切断要求部と、を備えることを特徴とする。
【００１９】
（８）また、本発明の他の態様は、第１の基地局装置と、第２の基地局装置と、前記第１の基地局装置および前記第２の基地局装置と通信する移動局装置と、を具備する無線通信システムにおける無線通信方法であって、前記第１の基地局装置に対してキャリアアグリゲーションの切断を要求する第１の過程と、前記要求を受信すると、前記第２の基地局装置にコンポーネントキャリアの切断準備を要求する第２の過程と、該要求を受信すると、前記第１の基地局装置にコンポーネントキャリアの切断することを通知する第３の過程と、を有することを特徴とする。
【発明の効果】
【００２０】
この発明によれば、複数の基地局間でのＣＡ通信中にＳＣＣを切断することができる。
【図面の簡単な説明】
【００２１】
【図１】本発明の第１の実施形態における無線通信システムの一例を示す概念図である。
【図２】同実施形態におけるキャリアアグリゲーション通信の一例を示す概念図である。
【図３】同実施形態における無線通信システムの一例を示す概念図である。
【図４】同実施形態における移動局装置の構成の一例を示す概略ブロック図である。
【図５】同実施形態における第１の基地局装置の構成の一例を示す概略ブロック図である。
【図６】同実施形態における第２の基地局装置の構成の一例を示す概略ブロック図である。
【図７】同実施形態における移動局装置、２つの基地局装置におけるＳＣＣ切断の動作を説明するシーケンス図である。
【図８】本発明の第２の実施形態における移動局装置の構成の一例を示す概略ブロック図である。
【図９】同実施形態における第１の基地局装置の構成の一例を示す概略ブロック図である。
【図１０】同実施形態における第２の基地局装置の構成の一例を示す概略ブロック図である。
【図１１】同実施形態における移動局装置、２つの基地局装置におけるＳＣＣ切断の動作を説明するシーケンス図である。
【図１２】本発明の第３の実施形態における第２の基地局装置の構成の一例を示す概略ブロック図である。
【図１３】同実施形態における移動局装置、２つの基地局装置におけるＳＣＣ切断の動作を説明するシーケンス図である。
【図１４】本発明の第４の実施形態における無線通信システムの一例を示す概念図である。
【図１５】同実施形態におけるキャリアアグリゲーション通信の一例を示す概念図である。
【図１６】同実施形態における移動局装置の構成の一例を示す概略ブロック図である。
【図１７】同実施形態における移動局装置、２つの基地局装置におけるＳＣＣ切断の動作を説明するシーケンス図である。
【図１８】本発明の第５の実施形態における移動局装置の構成の一例を示す概略ブロック図である。
【図１９】同実施形態における第１の基地局装置の構成の一例を示す概略ブロック図である。
【図２０】同実施形態における、移動局装置、２つの基地局装置におけるＳＣＣ切断の手法を説明するシーケンス図である。
【発明を実施するための形態】
【００２２】
以下、図面を参照して、本発明の第１の実施形態について説明する。
図１は、各実施形態における無線通信システムＳ１の一例を示す概念図である。無線通信システムＳ１は、移動局装置１、基地局装置２、基地局装置３、およびコアネットワーク交換機４を含んで構成される。
基地局装置２は、例えば、マクロセル基地局装置(第１の基地局装置)である。基地局装置３は、例えば、ＨｅＮＢ（Ｈｏｍｅ  ｅＮｏｄｅＢ）基地局装置(第２の基地局装置)である。基地局装置２、基地局装置３は、それぞれセルＣＥ１，ＣＥ２を通信範囲としている。セルＣＥ２は、セルＣＥ１の範囲に含まれている。基地局装置２、基地局装置３は、それぞれ１つの周波数帯域を用いて移動局装置１と通信する。これらの周波数帯域各々は、コンポーネントキャリア（ＣＣ）ともいい、その帯域幅の最大は２０ＭＨｚである。また、基地局装置２、基地局装置３が用いる周波数帯域（ＣＣ）は、互いに異なる。基地局装置２、基地局装置３は、それぞれコアネットワーク交換機４に光回線または、固定電話回線を介して接続されている。
【００２３】
移動局装置１は、基地局装置２の第１のコンポーネントキャリアと、基地局装置３の第２のコンポーネントキャリアと、を用いてキャリアアグリゲーション（ＣＡ）技術を利用した通信を行っている。なお、以下では、基地局装置２の第１のＣＣをプライマリーコンポーネントキャリア（ＰＣＣ）とし、基地局装置３の第２のＣＣをセカンダリーコンポーネントキャリア（ＳＣＣ）とする。移動局装置１は、そのＰＣＣ、およびＳＣＣを利用して、ＣＡ技術を利用した通信を行うものとして説明する。ここで、ＰＣＣは、ＰＵＣＣＨを送信するＣＣであり、ＳＣＣは、ＰＵＣＣＨの送信を行わないＣＣである。また、ＣＡ技術を利用した通信を、以下ではＣＡ通信とも称する。
【００２４】
（第１の実施形態）
図２は、本発明の第１の実施形態におけるＣＡ通信の一例を示す概念図である。
図２（ａ）は、移動局装置１が、基地局装置２のＣＣおよび基地局装置３のＣＣを利用して、ＣＡ通信を行っているときの一例を示す図である。図２（ａ）において、移動局装置１は、ＣＣ５１を用いて、基地局装置２と通信を行う。移動局装置１は、ＣＣ５２を用いて、基地局装置３と通信を行う。ここで、移動局装置１は、ＣＣ５１をＰＣＣ、ＣＣ５２をＳＣＣとしてＣＡ通信に利用する。
【００２５】
図２（ｂ）は、移動局装置１から基地局装置２へのＳＣＣ切断要求に対し、基地局装置２がＳＣＣ切断処理を行ったときの一例を示す図である。移動局装置１は、基地局装置２と、基地局装置３と、通信を行う。ここで、移動局装置１は、基地局装置２に対して、ＣＣ５２のＳＣＣ切断処理を行う。具体的には、移動局装置１は、ＣＡ通信を行うか否かを判定する。ＣＡ通信を行わないと判定した場合、もしくはＳＣＣを切断すべきであると判定した場合、ＰＣＣへＳＣＣ切断要求を行う。基地局装置２、および基地局装置３は、このＳＣＣ切断要求に基づいて切断処理を行うことで、ＳＣＣを切断する。移動局装置１は、基地局装置２とのみＰＣＣを利用して、通信を行う。
【００２６】
図３は、本実施形態に係る無線通信システムＳ２の一例を示す概念図である。
無線通信システムＳ２は、移動局装置１、基地局装置２、基地局装置３−１、基地局装置３−２、および基地局装置３−３を含んで構成される。
基地局装置２は、例えば、マクロセル基地局装置である。また、基地局装置３−１、基地局装置３−２および基地局装置３−３は、例えば、ＨｅＮＢ基地局装置である。
基地局装置２、基地局装置３−１、基地局装置３−２および基地局装置３−３は、それぞれセルＣＥ１、ＣＥ２−１、ＣＥ２−２およびＣＥ２−３を通信範囲としている。ここで、セルＣＥ２−１、ＣＥ２−２、ＣＥ２−３は、互いに重複する部分を含んでいる。また、セルＣＥ１の通信範囲は、ＣＥ２−１、ＣＥ２−２、ＣＥ２−３を含んでいる。基地局装置２、基地局装置３−１、基地局装置３−２および基地局装置３−３は、それぞれ１つのＣＣを用いて移動局装置１と通信する。また、基地局装置３−１、基地局装置３−２、および基地局装置３−３が用いる周波数帯域（ＣＣ）は、互いに異なる。
【００２７】
移動局装置１は、基地局装置２、基地局装置３−１、基地局装置３−２および基地局装置３−３と、無線通信を行う。なお、移動局装置１は、例えば基地局装置２のＣＣと基地局装置３−１のＣＣのように、複数の基地局装置のＣＣを利用してＣＡ通信を行う。
また、以下の説明において、符号を付けずに移動局装置と記載することがあるが、これは移動局装置１に限定されず、その他の移動局装置も含んでいることを表す。符号を付さない基地局装置という記載も同様に基地局装置２、基地局装置３−１、基地局装置３−２、基地局装置３−３に限定されず、その他の基地局装置を含んでいることを表す。また、基地局装置３−１、基地局装置３−２および基地局装置３−３を基地局装置３と総称することがある。
【００２８】
図４は、本実施形態における移動局装置１の構成の一例を示す概略ブロック図である。
移動局装置１は、送受信アンテナ１０１、無線部１０２、送受信部１０３、基本機能部１０４、データ量検出部１０５、ＣＡ情報記憶部１０６、電池残量検出部１０７、閾値記憶部１０８、制御部１１、および切断処理部１２を含んで構成される。移動局装置１は、基地局装置２、および基地局装置３と無線通信する。
【００２９】
無線部１０２は、送受信アンテナ１０１から受信した信号をダウンコンバートし、送受信部１０３に出力する。また、無線部１０２は、送受信部１０３から入力された信号をアップコンバートし、送受信アンテナ１０１を介して送信する。
送受信部１０３は、基本機能部１０４および制御部１１から入力された通信情報を変調する。ここで、通信情報とは、例えば、通話などの音声通信に関する情報や画像およびテキスト通信に関する情報のことである。送受信部１０３は、ＣＡ情報記憶部１０６が記憶するＣＡ通信情報を読み出して、変調した通信情報を、無線リソース（時間、周波数）にマッピングし、無線部１０２に出力する。ここで、ＣＡ通信情報とは、例えば、各基地局装置のＩＤ、移動局装置のＩＤ、各基地局装置のセルＩＤ、各々のＣＣの周波数帯域、帯域幅などの情報のことである。
送受信部１０３は、ＣＡ情報記憶部１０６が記憶するＣＡ通信情報を読み出して、無線部１０２から入力された通信信号を無線リソースにデマッピングする。送受信部１０３は、デマッピングした通信信号を復調する。送受信部１０３は、変調した通信信号を、基本機能部１０４に出力する。
基本機能部１０４は、音声通信、画像およびテキスト通信などに対して、通話や画像およびテキストの表示などを行う。ここで、例えば、基本機能部１０４は、マイクロフォン、スピーカー、ディスプレイ、入力キー、タッチパネルなどのユーザへの情報の提示およびユーザからの情報の入力を行うための機能を有する。
【００３０】
データ量検出部１０５は、送受信部１０３から入力された通信信号に基づき、各基地局装置とのデータ量に関する情報を、例えば、ＣＣ毎に測定し、測定したデータ量（ＣＣデータ量情報）に関する情報を制御部１１に出力する。ここで、データ量に関する情報とは、例えば、移動局装置と基地局装置との間の通信における上りデータ量、下りデータ量、あるいは、上り／下りの総データ量を指す。また、ＣＣデータ量情報は、ＣＣ毎のデータ量に関する情報であるが、本発明は、これに限らず基地局装置毎のものであってもよい。
【００３１】
ＣＡ情報記憶部１０６は、送受信部１０３から入力された通信情報、例えば、基地局装置のＩＤ、各ＣＣの周波数バンド、帯域幅などのＣＡ通信情報を記憶する。電池残量検出部１０７は、移動局装置１の電池残量に関する情報を測定し、測定結果の電池残量に関する電池残量情報を制御部１１に出力する。ここで、電池残量情報とは、自装置の消費電力量、閾値記憶部１０８における電池残量を示す情報のことである。
【００３２】
制御部１１はＣＡ通信判定部１１１、セルＩＤ検出部１１２、切断要求部１１３、および制御データ処理部１１４を含んで構成される。
ＣＡ通信判定部１１１は、入力されたＣＣデータ量情報と、移動局装置１の電池残量情報と、閾値記憶部１０８に記憶されたデータ量閾値情報と、電池残量閾値情報と、を比較し、その比較結果に基づいて、ＣＡ通信を行うか否かを判定する。
【００３３】
具体的には、ＣＡ通信判定部１１１は、ＣＡ通信を行うか否かを、例えば、移動局装置１が自装置のデータ量をチェックし、データ量に関する測定値が閾値以下であるか否かを判定し、データ量に関する測定値が閾値以下である場合、ＣＡ通信を切断すると決定する。また、ＣＡ通信判定部１１１は、移動局装置が自装置の電池残量に関する測定値が閾値以下であるか否かを判定し、電池残量に関する測定値が閾値以下である場合、ＣＡ通信を切断すると決定する。ＣＡ通信判定部１１１は、データ量に関する測定値、または電池残量に関する測定値のうち少なくとも１つが閾値以下である場合、ＣＡ通信を切断すると判定する。しかし、本発明はこれに限らず、ＣＡ通信判定部１１１は、これらの条件の一方でＣＡ通信を行うか否かを決定しているが、その他の条件（例えば、ビットレート）としてもよく、またその他の条件をさらに加えてもよい。
【００３４】
セルＩＤ検出部１１２は、ＣＡ通信判定部１１１の判定に基づき、ＣＡ情報記憶部１０６からＣＡ通信情報を読み出す。セルＩＤ検出部１１２は、読み出したＣＡ通信情報に基づいてＳＣＣ切断情報を生成し、生成したＳＣＣ切断情報を切断要求部１１３に出力する。
切断要求部１１３は、セルＩＤ検出部１１２から入力されたＳＣＣ切断情報に基づき、ＰＣＣを利用して送信させるＳＣＣ切断要求を生成する。切断要求部１１３は、生成したＳＣＣ切断要求を、制御データ処理部１１４に出力する。
制御データ処理部１１４は、切断要求部１１３から入力されたＳＣＣ切断要求に基づき、制御データ処理した後、送受信部１０３を介して基地局装置２と無線通信を行う。
【００３５】
切断処理部１２は、送受信部１０３から入力されたＳＣＣ切断準備要求に基づき、ＳＣＣの切断を行う。切断処理部１２は、切断したＳＣＣのＣＡ通信情報を、ＣＡ情報記憶部１０６に記憶させる。
【００３６】
図５は、本実施形態における基地局装置２の構成を示す概略ブロック図である。
基地局装置２は、送受信アンテナ２０１、無線部２０２、送受信部２０３、データ通信部２０４、制御信号通信部２０５、切断要求処理部２０６、ネットワーク通信部２０７、制御信号処理部２０８、および切断準備要求部２０９を含んで構成される。
【００３７】
無線部２０２は、送受信アンテナ２０１から受信した信号をダウンコンバートし、送受信部２０３に出力する。また、無線部２０２は、送受信部２０３から入力された信号をアップコンバートし、送受信アンテナ２０１を介して送信する。
【００３８】
送受信部２０３は、データ通信部２０４から入力された通信情報を変調する。送受信部２０３は、予め決められた周波数帯域（例えば、ＣＣ）の割り当てに基づいて、通信情報を無線リソース（時間、周波数）にマッピングし、送受信部２０３に出力する。
送受信部２０３は、予め決められた周波数帯域（ＣＣ）に基づいて、無線部２０２から入力された通信信号を無線リソースにデマッピングする。送受信部２０３は、デマッピングした通信信号を復調する。送受信部２０３は、変調した通信信号を、データ通信部２０４に出力する。
データ通信部２０４は、音声通信、画像およびテキスト通信などのデータ通信を行う。
【００３９】
制御信号通信部２０５は、送受信部２０３から入力された制御情報に基づき、基地局装置３のデータ通信を制御する制御信号を生成する。制御信号通信部２０５は、生成した制御信号を、ネットワーク通信部２０７に出力する。
制御信号通信部２０５は、ネットワーク通信部２０７から入力された制御情報に基づき、移動局装置１の通信を制御する制御信号を生成する。制御信号通信部２０５は、生成した制御信号を、送受信部２０３に出力する。
また、制御信号通信部２０５は、送受信部２０３から入力されたＳＣＣ切断要求を切断要求処理部２０６に出力する。切断要求処理部２０６は、制御信号通信部２０５から入力されたＳＣＣ切断要求に基づき、ＳＣＣ切断対象のＳＣＣ基地局装置情報、移動局装置情報を生成する。制御信号通信部２０５は、生成したこれらの情報をネットワーク通信部２０７介し、制御信号処理部２０８に出力する。
【００４０】
制御信号処理部２０８は、切断要求処理部２０６から入力されたＳＣＣ基地局情報、および移動局装置情報を含むＳＣＣ切断要求に対して、制御信号処理を行う。ここで、制御信号処理とは、例えば、パケット通信処理や制御信号を入出力信号に対し付加する処理である。
制御信号処理部２０８は、制御信号処理したＳＣＣ切断要求を切断準備要求部２０９に出力する。切断準備要求部２０９は、制御信号処理部２０８からの制御信号処理されたＳＣＣ切断要求に基づき、基地局装置３に対するＳＣＣ切断準備要求を生成する。切断準備要求部２０９は、生成したＳＣＣ切断準備要求を、ネットワーク通信部２０７を介し、基地局装置３へ送信する。
また、制御信号処理部２０８は、基地局装置３からネットワーク通信部２０７介し、入力されたＳＣＣ切断準備ＡＣＫに対し、ＳＣＣ切断準備ＡＣＫの制御信号処理を行い、切断準備要求部２０９に出力する。切断準備要求部２０９は、制御信号処理部２０８から入力された制御信号処理されたＳＣＣ切断準備ＡＣＫに基づき、ＳＣＣ切断準備要求を生成する。切断準備要求部２０９は、生成したＳＣＣ切断準備要求を、送受信部２０３を介し、移動局装置１に送信する。
【００４１】
図６は、本実施形態における基地局装置３の構成を示す概略ブロック図である。
基地局装置３は、送受信アンテナ３０１、無線部３０２、送受信部３０３、データ通信部３０４、制御信号通信部３０５、切断準備要求処理部３０６、制御信号処理部３０７、リソース管理部３０８およびネットワーク通信部３０９を含んで構成される。
【００４２】
無線部３０２は、送受信アンテナ３０１から受信した信号をダウンコンバートし、送受信部３０３に出力する。また、無線部３０２は、送受信部３０３から入力された信号をアップコンバートし、送受信アンテナ３０１を介して送信する。
送受信部３０３は、データ通信部３０４から入力された通信情報を変調する。送受信部３０３は、予め決められた周波数帯域（例えば、ＣＣ）の割り当てに基づいて、通信情報を無線リソース（時間、周波数）にマッピングし、送受信部３０３に出力する。
【００４３】
送受信部３０３は、予め決められた周波数帯域（ＣＣ）に基づいて、無線部３０２から入力された通信信号を無線リソースにデマッピングする。送受信部３０３は、デマッピングした通信信号を復調する。送受信部３０３は、変調した通信信号を、データ通信部３０４に出力する。
データ通信部３０４は、音声通信、画像およびテキスト通信などのデータ通信を行う。
【００４４】
制御信号通信部３０５は、送受信部３０３から入力された制御情報に基づき、基地局装置２のデータ通信を制御する制御信号を生成する。制御信号通信部３０５は、生成した制御信号を、ネットワーク通信部３０９に出力する。
制御信号通信部３０５は、ネットワーク通信部３０９から入力された制御情報に基づき、移動局装置１の通信を制御する制御信号を生成する。制御信号通信部２０５は、生成した制御信号を、送受信部３０３に出力する。
また、制御信号通信部３０５は、送受信部３０３から入力されたＳＣＣ切断準備要求を、ネットワーク通信部３０９を介し、切断準備要求処理部３０６に出力する。切断準備要求処理部３０６は、制御信号通信部３０５から入力されたＳＣＣ切断準備要求に基づき、ＳＣＣ切断準備処理を行う。制御信号処理部３０７は、切断準備要求処理部３０６から入力されたＳＣＣ切断準備要求に基づき、ＳＣＣ切断準備ＡＣＫを生成する。制御信号処理部３０７は、生成したＳＣＣ切断準備ＡＣＫを、ネットワーク通信部３０９を介し、基地局装置２に送信する。
【００４５】
また、制御信号処理部３０７は、生成したＳＣＣ切断準備ＡＣＫをリソース管理部３０８に出力する。リソース管理部３０８は、制御信号処理部３０７から入力されたＳＣＣ切断準備ＡＣＫに基づき、リソース解放処理を行い、ネットワーク通信部３０９に出力する。
【００４６】
図７は、本実施形態における移動局装置１、基地局装置２、基地局装置３におけるＳＣＣ切断の動作を説明するシーケンス図である。基地局装置２と基地局装置３との間の通信は、各装置におけるネットワーク通信部２０７、３０９を介して行われるが、以下の説明においては省略する。また、基地局装置２、基地局装置３と移動局装置１との間の通信は、送受信アンテナ２０１、３０１、無線部２０２、３０２、送受信部２０３、３０３を介して行われるが以下の説明においては省略する。
【００４７】
まず、移動局装置１と、基地局装置２、および基地局装置３とは、ＰＣＣ、およびＳＣＣを利用してＣＡ通信を行っている（ＳＴ１０１）。
移動局装置１は、ＣＣデータ量情報、電池残量情報に基づいて、ＳＣＣの切断を決定する。つまり、移動局装置１は、ＣＡ通信の中止を決定する。例えば、移動局装置１のＣＡ通信判定部１１１が電池残量に関する測定情報、またはデータ量に関する測定情報が閾値以下であると、ＣＡ通信の切断を決定する（ＳＴ１０２）。
移動局装置１は、ＣＡ通信に関する情報（例えば、切断対象の基地局装置ＩＤ、周波数帯域、帯域幅など）に基づいて、ＳＣＣ切断要求を基地局装置２へ送信する（ＳＴ１０３）。
基地局装置２は、ＳＴ１０３で送信されたＳＣＣ切断要求に基づいて、基地局装置３へＳＣＣ切断準備要求を送信する（ＳＴ１０４）。
基地局装置３は、ＳＴ１０４で送信されたＳＣＣ切断準備要求に基づいて、基地局装置２に対して、ＳＣＣ切断準備ＡＣＫを送信する（ＳＴ１０５）。
基地局装置２は、ＳＴ１０５で送信されたＳＣＣ切断準備ＡＣＫに基づいて、移動局装置１に対して、ＳＣＣ切断準備要求を送信する（ＳＴ１０６）。
移動局装置１は、ＳＴ１０６で送信されたＳＣＣ切断準備要求に基づいて、基地局装置３との通信を切断する（ＳＴ１０７）。
移動局装置１は、基地局装置２の第１のＣＣを用いて通信サービスを行う（ＳＴ１０８）。
【００４８】
このように、本実施形態では、基地局装置２、基地局装置３、および移動局装置１を具備する無線通信システムである。移動局装置１は、基地局装置２のＣＣと、基地局装置３のＣＣを利用してＣＡ通信を行っている。移動局装置１は、ＣＡ通信に利用しているＣＣからＳＣＣを切断するＳＣＣ切断要求を、ＰＣＣを利用して送信する。基地局装置２は、ＳＣＣ切断要求に基づいてＣＡ通信中のＳＣＣを切断する準備をさせるＳＣＣ切断準備要求を基地局装置３へ送信する。これにより、複数の基地局間でのＣＡ通信中にＳＣＣを切断することができる。
【００４９】
なお、本実施形態は、移動局装置１と基地局装置２との通信に用いる第1のＣＣをＰＣＣ、移動局装置１と基地局装置３との通信に用いる第２のＣＣをＳＣＣとした場合について述べているが、基地局装置２をＳＣＣ、基地局装置３をＰＣＣとした場合、基地局装置３−１をＰＣＣ、基地局装置３−２をＳＣＣとしてもよい。この場合、無線通信システムは、同様にＳＣＣの切断が可能である。
【００５０】
（第２の実施形態）
以下、図面を参照して、本発明の第２の実施形態について説明する。
本発明の第２の実施形態におけるＣＡ技術を用いた通信の一例は、図２と同様であるので説明は省略する。また、本実施形態における無線通信システムＳ２ａは、図３における無線通信システムＳ２と同様であるので説明は省略する。
【００５１】
図８は、本実施形態における移動局装置１ａの構成を示す概略ブロック図である。
移動局装置１ａと第１の実施形態における移動局装置１とを比較すると、制御部１１ａの１１５ａが異なる。その他の構成は、第１の実施形態と同様であるので、説明は省略する。移動局装置１ａは、基地局装置２ａおよび基地局装置３ａと無線通信を行う。
【００５２】
切断処理通知部１１５ａは、送受信部１０３から入力された通信情報に基づき、基地局装置２ａへのＳＣＣ切断処理通知を生成する。切断処理通知部１１５ａは、生成したＳＣＣ切断処理通知を、制御データ処理部１１４、送受信部１０３を介し、基地局装置３ａに送信される。
【００５３】
図９は、本実施形態における基地局装置２ａの構成を示す概略ブロック図である。
基地局装置２ａと第１の実施形態における基地局装置２とを比較すると、切断処理通知処理部２１０ａが異なる。その他の構成は、第１の実施形態と同様であるので、説明は省略する。
【００５４】
切断処理通知処理部２１０ａは、制御信号通信部２０５から入力されたＳＣＣ切断処理通知に基づき、ＳＣＣ切断される旨の情報を処理する。
切断処理通知処理部２１０ａは、ＳＣＣ切断処理通知を、ネットワーク通信部２０７を介し、制御信号処理部２０８に出力する。制御信号処理部２０８は、切断処理通知処理部２１０ａから入力されたＳＣＣ切断処理通知に基づき、移動局装置１ａに対するＳＣＣ切断処理ＡＣＫを生成する。制御信号処理部２０８は、生成したＳＣＣ切断処理ＡＣＫを、送受信部２０３を介して、移動局装置１ａに送信する。
【００５５】
図１０は、本実施形態における基地局装置３ａの構成を示す概略ブロック図である。
基地局装置３ａと第１の実施形態における基地局装置３とを比較すると、切断準備要求部３１０ａが異なる。そのほかの構成は、第１の実施形態と同様であるので、説明は省略する。
【００５６】
切断準備要求部３１０ａは、制御信号通信部３０５から入力されたＳＣＣ切断準備要求に基づき、ＳＣＣ切断準備要求を生成し、送受信部３０３を介し、移動局装置１ａに送信される。また、切断準備要求部３１０ａは、生成したＳＣＣ切断準備要求をネットワーク通信部３０９および制御信号処理部３０７に出力する。
【００５７】
図１１は、本実施形態における移動局装置１ａ、基地局装置２ａ、基地局装置３ａにおけるＳＣＣ切断の動作を説明するシーケンス図である。基地局装置２ａと基地局装置３ａとの間の通信は、各装置におけるネットワーク通信部２０７、３０９を介して行われるが、以下の説明においては省略する。
また、基地局装置２ａ、基地局装置３ａと移動局装置１ａとの間の通信は、送受信アンテナ２０１、３０１、無線部２０２、３０２、送受信部２０３、３０３を介して行われるが以下の説明においては省略する。
【００５８】
まず、移動局装置１ａと、基地局装置２ａ、および基地局装置３ａとは、ＰＣＣ、およびＳＣＣを利用してＣＡ通信を行っている（ＳＴ１０１）。
移動局装置１ａは、ＣＣデータ量情報、電池残量情報に基づいてＳＣＣの切断を決定する。つまり、移動局装置１ａは、ＣＡ通信の中止を決定する。例えば、移動局装置１ａの電池残量に関する測定情報、またはデータ量に関する測定情報が閾値以下であると、ＣＡ通信の切断を決定する（ＳＴ１０２）。
移動局装置１ａは、ＣＡ通信に関する情報（例えば、切断対象の基地局装置ＩＤ、周波数帯域、帯域幅など）に基づいて、ＳＣＣ切断要求を基地局装置２ａへ送信する（ＳＴ１０３）。
基地局装置２ａは、ＳＴ１０３で送信されたＳＣＣ切断要求に基づいて、基地局装置３ａへＳＣＣ切断準備要求を送信する（ＳＴ１０４）。
基地局装置３ａは、ＳＴ１０４で送信されたＳＣＣ切断準備要求に基づいて、基地局装置２ａに対して、ＳＣＣ切断準備ＡＣＫを送信する（ＳＴ１０５）。
基地局装置３ａは、ＳＴ１０４で送信されたＳＣＣ切断要求に基づいて、移動局装置１ａに対して、ＳＣＣ切断準備要求を送信する（ＳＴ１０６）。
移動局装置１ａは、ＳＴ１０６で送信されたＳＣＣ切断準備要求に基づいて、基地局装置２ａに対して、ＳＣＣ切断処理通知を送信する（ＳＴ１０９）。
基地局装置２ａはＳＴ１０９で送信されたＳＣＣ切断処理通知に基づいて、移動局装置１ａに対して、ＳＣＣ切断処理ＡＣＫを送信する（ＳＴ１１０）。
移動局装置１ａは、ＳＴ１１０で送信されたＳＣＣ切断処理ＡＣＫに基づいて、基地局装置３ａとの通信を切断する（ＳＴ１０７）。
移動局装置１ａは、基地局装置２ａの第１のＣＣを用いて通信サービスを行う（ＳＴ１０８）。
【００５９】
このように、本実施形態は、基地局装置２ａ、基地局装置３ａ、および移動局装置１ａを具備する無線通信システムである。移動局装置１ａは、基地局装置２ａのＣＣと、基地局装置３ａのＣＣを利用してＣＡ通信を行っている。移動局装置１ａは、ＣＡ通信に利用しているＰＣＣからＳＣＣを切断するＳＣＣ切断要求を、ＰＣＣを利用して送信する。基地局装置２ａは、ＳＣＣ切断要求に基づいてＣＡ通信中のＳＣＣを切断する準備をさせるＳＣＣ切断準備要求を移動局装置１ａへ送信する。これにより、複数の基地局間でのＣＡ通信中にＳＣＣを切断することができる。
【００６０】
なお、本実施形態は、基地局装置２ａをＰＣＣ、基地局装置３ａをＳＣＣとした場合について述べているが、基地局装置２ａをＳＣＣ、基地局装置３ａをＰＣＣとした場合、基地局装置３−１ａをＰＣＣ、基地局装置３−２ａをＳＣＣとしてもよい。この場合、無線通信システムは、同様にＳＣＣの切断が可能である。
【００６１】
（第３の実施形態）
以下、図面を参照して、本発明の第３の実施形態について説明する。
本発明の第３の実施形態におけるＣＡ技術を用いた通信の一例は、図２と同様であるので説明は省略する。また、本実施形態における無線通信システムＳ２ｂは、図３における無線通信システムＳ２と同様であるので説明は省略する。
また、移動局装置１ａは、第２の実施形態の移動局装置１ａと同様の構成であるので、説明を省略する。基地局装置２は、第１の実施形態の基地局装置２と同様の構成であるので、説明を省略する。
【００６２】
図１２は、本実施形態における基地局装置３ｂの構成を示す概略ブロック図である。
基地局装置３ｂと第２の実施形態における基地局装置３ａとを比較すると、切断処理通知部３１１ｂが異なる。そのほかの構成は、第２の実施形態と同様であるので、説明は省略する。
【００６３】
切断処理通知部３１１ｂは、制御信号通信部３０５から入力されたＳＣＣ切断準備要求に基づき、基地局装置２に対するＳＣＣ切断処理通知を生成し、ネットワーク通信部３０９を介し、基地局装置２に送信する。
【００６４】
図１３は、本実施形態における移動局装置１ａ、基地局装置２、基地局装置３ｂにおけるＳＣＣ切断の動作を説明するシーケンス図である。
基地局装置２と基地局装置３ｂとの間の通信は、各装置におけるネットワーク通信部２０７、３０９を介して行われるが、以下の説明においては省略する。
また、基地局装置２、基地局装置３ｂと移動局装置１ａとの間の通信は、送受信アンテナ２０１、３０１、無線部２０２、３０２、送受信部２０３、３０３を介して行われるが以下の説明においては省略する。
【００６５】
まず、移動局装置１ａと、基地局装置２、および基地局装置３ｂとは、ＰＣＣ、およびＳＣＣを利用してＣＡ通信を行っている（ＳＴ１０１）。
移動局装置１ａは、ＣＣデータ量情報、電池残量情報に基づいてＳＣＣの切断を決定する。つまり、移動局装置１ａは、ＣＡ通信の中止を決定する。例えば、移動局装置１ａの電池残量に関する測定情報、またはデータ量に関する測定情報が閾値以下であると、ＣＡ通信の切断を決定する（ＳＴ１０２）。
移動局装置１ａは、ＣＡ通信に関する情報（例えば、切断対象の基地局装置ＩＤ、周波数帯域、帯域幅など）に基づいて、ＳＣＣ切断要求を基地局装置２へ送信する（ＳＴ１０３）。
基地局装置２は、ＳＴ１０３で送信されたＳＣＣ切断要求に基づいて、基地局装置３ｂへＳＣＣ切断準備要求を送信する（ＳＴ１０４）。
基地局装置３ｂは、ＳＴ１０４で送信されたＳＣＣ切断要求に基づいて、移動局装置１ａに対して、ＳＣＣ切断準備要求を送信する（ＳＴ１０６）。
基地局装置３ｂは、ＳＴ１０４で送信されたＳＣＣ切断準備要求に基づいて、基地局装置２に対して、ＳＣＣ切断処理通知を送信する（ＳＴ１０９）。
移動局装置１ａは、ＳＴ１０６で送信されたＳＣＣ切断準備要求に基づいて、基地局装置２に対して、ＳＣＣ切断処理通知を送信する（ＳＴ１１１）。
移動局装置１ａは、ＳＴ１０６で送信されたＳＣＣ切断準備要求に基づいて、基地局装置３ｂとの通信を切断する（ＳＴ１０７）。
移動局装置１ａは、基地局装置２の第１のＣＣを用いて通信サービスを行う（ＳＴ１０８）。
【００６６】
このように、本実施形態は、基地局装置２、基地局装置３ｂ、および移動局装置１ａを具備する無線通信システムである。移動局装置１ａは、基地局装置２のＣＣと、基地局装置３ｂのＣＣを利用してＣＡ通信を行っている。移動局装置１ａは、ＣＡ通信に利用しているＰＣＣからＳＣＣを切断するＳＣＣ切断要求を、ＰＣＣを利用して送信する。基地局装置２ａは、ＳＣＣ切断要求に基づいてＣＡ通信中のＳＣＣを切断する準備をさせるＳＣＣ切断準備要求を移動局装置１ａへ送信する。これにより、複数の基地局間でのＣＡ通信中にＳＣＣを切断することができる。
【００６７】
なお、本実施形態は、基地局装置２をＰＣＣ、基地局装置３ｂをＳＣＣとした場合について述べているが、基地局装置２をＳＣＣ、基地局装置３ｂをＰＣＣとした場合、基地局装置３−１ｂをＰＣＣ、基地局装置３−２ｂをＳＣＣとしてもよい。この場合、無線通信システムは、同様にＳＣＣの切断が可能である。
【００６８】
（第４の実施形態）
以下、図面を参照して、本発明の第４の実施形態について説明する。
図１４は、本実施形態における無線通信システムＳ３の一例を示す概念図である。無線通信システムＳ３は、移動局装置１、基地局装置２、基地局装置３−１、基地局装置３−２、および基地局装置３−３を含んで構成される。
基地局装置２は、例えば、マクロセル基地局装置である。また、基地局装置３−１、基地局装置３−２および基地局装置３−３は、例えば、ＨｅＮＢ基地局である。
基地局装置２、基地局装置３−１、基地局装置３−２および基地局装置３−３は、それぞれセルＣＥ１、ＣＥ２−１ＣＥ２−２およびＣＥ２−３を通信範囲としている。セルＣＥ２−１、ＣＥ２−２、ＣＥ２−３は、互いに重複する部分を含んでいる。また、セルＣＥ１の通信範囲は、ＣＥ２−１、ＣＥ２−２、ＣＥ２−３を含んでいる。
基地局装置２、基地局装置３−１、基地局装置３−２および基地局装置３−３は、それぞれ一つのＣＣを用いて移動局装置１と通信する。また、基地局装置３−１、基地局装置３−２、および基地局装置３−３が用いる周波数帯域（ＣＣ）は、互いに異なる。
【００６９】
移動局装置１は、基地局装置２、基地局装置３−１、基地局装置３−２および基地局装置３−３と無線通信を行う。なお、移動局装置１は、例えば基地局装置２のＰＣＣと基地局装置３−２のＳＣＣ、および基地局装置３−３のＳＣＣのように、複数の基地局装置とＣＡ通信を行う。
【００７０】
図１５は、本発明の第４の実施形態におけるＣＡ通信の一例を示す概念図である。
図１５（ａ）は、移動局装置１、基地局装置２のＣＣ、基地局装置３−１のＣＣ、および基地局装置３−２のＣＣを利用して、ＣＡ通信を行っているときの一例を示す図である。図１５（ａ）において、移動局装置１は、ＣＣ５１ａを用いて、基地局装置２と通信を行う。移動局装置１は、ＣＣ５２ａ、Ｃ５３ａを用いて、基地局装置３−１、基地局装置３−２と通信を行う。ここで、移動局装置１は、ＣＣ５１ａをＰＣＣ、ＣＣ５２ａ、Ｃ５３ａをＳＣＣとしてＣＡ通信に利用する。
【００７１】
図１５（ｂ）は、移動局装置１から基地局装置２へのＳＣＣ切断要求に対し、基地局装置２がＳＣＣの切断処理を行ったときの一例を示す図である。
移動局装置１は、基地局装置２、基地局装置３−１、基地局装置３−２と無線通信を行う。ここで、移動局装置１は、基地局装置２に対して、ＣＣ５２のＳＣＣ切断処理を行う。具体的には、移動局装置１は、ＣＡ通信を行うか否かを自動判定し、ＣＡ通信を行わないと判断した場合、もしくはＳＣＣを切断すべきであると判定した場合、ＰＣＣへＳＣＣ切断要求を行い、基地局装置２、基地局装置３−１がＳＣＣ切断処理を行うことで、基地局装置３−１のＳＣＣ切断が可能となる。これにより、移動局装置１は、基地局装置２のＰＣＣと基地局装置３−２のＳＣＣを利用して通信を行う。
【００７２】
図１６は、本実施形態における移動局装置１ｂの構成を示す概略ブロック図である。
移動局装置１ｂと第２の実施形態における移動局装置１ａとを比較すると、通信環境検出部１０９ｂが異なる。その他の構成は、第２の実施形態と同様であるので、説明は省略する。移動局装置１ｂは、基地局装置２ａおよび基地局装置３ａと無線通信を行う。
【００７３】
通信環境検出部１０９ｂは、送受信部１０３から入力された通信信号に基づき、移動局装置１ｂと各基地局装置との間の通信の通信環境に関する情報を測定する。通信環境検出部１０９ｂは、測定した通信環境に関する情報を、制御部１１ａに出力する。ここで、通信環境に関する情報とは、例えば、ＣＣ毎のビット誤り率やパケット誤り率、スループットなどの情報である。
【００７４】
本実施形態において、基地局装置２ａは、第２の実施形態における基地局装置２ａと同様の構成であり、以下の説明は省略する。また、基地局装置３−１および基地局装置３−２は、基地局装置３と同様の構成であり、以下の説明は省略する。
【００７５】
図１７は、移動局装置１ｂ、基地局装置２ａ、基地局装置３、基地局装置３−２における、ＳＣＣ切断の動作を説明するシーケンス図である。
基地局装置２ａ、基地局装置３、および基地局装置３−２との間の通信は、各装置におけるネットワーク通信部２０７、３０９を介して行われるが、以下の説明においては省略する。
また、基地局装置２ａ、基地局装置３、基地局装置３−２と移動局装置１ｂとの間の通信は、送受信アンテナ２０１、３０１、無線部２０２、３０２、送受信部２０３、３０３を介して行われるが、以下の説明においては省略する。
【００７６】
まず、移動局装置１ｂと、基地局装置２ａ、基地局装置３、および基地局装置３−２と、ＰＣＣ、およびＳＣＣを利用してＣＡ通信を行っている（ＳＴ１０１ａ）。
移動局装置１ｂは、ＣＣデータ量情報、電池残量情報に基づいてＳＣＣの切断を決定する。つまり、移動局装置１ｂは、ＣＡ通信の中止を決定する。例えば、移動局装置１ｂの電池残量に関する測定情報、またはデータ量に関する測定情報が閾値以下であると、ＣＡ通信の切断を決定する（ＳＴ１０２）。
移動局装置１ｂは、通信環境関する情報およびＣＡ通信に関する情報（例えば、切断対象の基地局装置ＩＤ、周波数帯域、帯域幅など）に基づいて、ＳＣＣ切断要求を基地局装置２ａへ送信する（ＳＴ１０３ａ）。
基地局装置２ａは、ＳＴ１０３ａで送信されたＳＣＣ切断要求に基づいて、基地局装置３へＳＣＣ切断準備要求を送信する（ＳＴ１０４）。
基地局装置３は、ＳＴ１０３ａで送信されたＳＣＣ切断準備要求に基づいて、基地局装置２ａに対して、ＳＣＣ切断準備ＡＣＫを送信する（ＳＴ１０５）。
基地局装置２ａは、ＳＴ１０５で送信されたＳＣＣ切断準備要求に基づいて、移動局装置１ｂに対して、ＳＣＣ切断準備要求を送信する（ＳＴ１０６）。
移動局装置１ｂは、ＳＴ１０６で送信されたＳＣＣ切断準備要求に基づいて、基地局装置３との通信を切断する（ＳＴ１０７）。
移動局装置１ｂは、基地局装置２ａの第１のＣＣ、基地局装置３−２ａの第３のＣＣを用いてＣＡ通信サービスを行う（ＳＴ１０８ａ）。
【００７７】
このように、本実施形態は、基地局装置２ａ、基地局装置３、基地局装置３−２、および移動局装置１ｂを具備する無線通信システムである。移動局装置１ｂは、基地局装置２ａのＣＣと、基地局装置３のＣＣと、基地局装置３−２のＣＣを利用してＣＡ通信を行っている。移動局装置１ｂは、ＣＡ通信に利用しているＰＣＣからＳＣＣを切断するＳＣＣ切断要求を、ＰＣＣを利用して送信する。このとき、移動局装置１ｂは、どのＳＣＣを切断するのかを通信環境に関する情報を基に決定する。例えば、基地局装置２ａは、ＳＣＣ切断要求に基づいてＣＡ通信中の基地局装置３のＳＣＣを切断する準備をさせるＳＣＣ切断準備要求を移動局装置１ｂへ送信する。これにより、基地局装置３のＳＣＣを切断し、基地局装置２ａ、基地局装置３−２とＣＡ通信を行う。これにより、複数の基地局間でのＣＡ通信中にＳＣＣを切断することができる。
【００７８】
なお、本実施形態は、基地局装置２ａをＰＣＣ、基地局装置３、基地局装置３−２をＳＣＣとした場合について述べているが、基地局装置２ａ、基地局装置３−２をＳＣＣ、基地局装置３をＰＣＣとした場合、基地局装置３−２をＰＣＣ、基地局装置２ａ、基地局装置３をＳＣＣとしてもよい。この場合、無線通信システムは、同様にＳＣＣの切断が可能である。
【００７９】
（第５の実施形態）
以下、図面を参照して、本発明の第５の実施形態について説明する。
本発明の第５の実施形態におけるＣＡ通信の一例は、図１５と同様であるので説明は省略する。また、無線通信システムＳ３ａは、第４の実施形態の無線通信システムＳ３の構成と同様であるため、以下説明を省略する。
【００８０】
図１８は、移動局装置１ｃの構成を示す概略ブロック図である。
移動局装置１ｃと第４の実施形態における移動局装置１ｂとを比較すると、ＣＣ切断数決定部１１０ｃが異なる。その他の構成は、第４の実施形態と同様であるので、説明は省略する。移動局装置１ｃは、基地局装置２ｂおよび基地局装置３と無線通信を行う。
【００８１】
ＣＣ切断数決定部１１０ｃは、データ量検出部１０５から入力されたＣＣデータ量情報に基づき、どれくらいの数のＳＣＣを切断するのか決定し、ＣＡ通信判定部１１１に出力する。
【００８２】
図１９は、基地局装置２ｂの構成を示す概略ブロック図である。
基地局装置２ｂと第1の実施形態における基地局装置２とを比較すると、ＣＣ切断決定部２１１ｂが異なる。その他の構成は、第１の実施形態と同様であるので、説明は省略する。
【００８３】
ＣＣ切断決定部２１１ｂは、制御信号通信部２０５から入力されたＳＣＣ切断数情報、に基づき、ＣＣデータ量、トラフィック状況からどのＳＣＣを切断するか決定し、ネットワーク通信部２０７を介し基地局装置３に送信する。
【００８４】
本実施形態において、基地局装置３−１および基地局装置３−２は、第１の実施形態における基地局装置３と同様の構成であるので説明を省略する。
【００８５】
図２０は、移動局装置１ｃ、基地局装置２ｂ、基地局装置３、基地局装置３−２における、ＳＣＣ切断の動作を説明するシーケンス図である。
基地局装置２ｂ、基地局装置３および基地局装置３−２との間の通信は、各装置におけるネットワーク通信部２０７、３０９を介して行われるが、以下の説明においては省略する。
また、基地局装置２ｂ、基地局装置３、基地局装置３−２と移動局装置１ｃとの間の通信は、送受信アンテナ２０１、３０１、無線部２０２、３０２、送受信部２０３、３０３を介して行われるが以下の説明においては省略する。
【００８６】
まず、移動局装置１ｃと、基地局装置２ｂ、基地局装置３、および基地局装置３−２と、ＰＣＣ、およびＳＣＣを利用してＣＡ通信を行っている（ＳＴ１０１ａ）。
移動局装置１ｃは、ＣＣデータ量情報、電池残量情報に基づいてＳＣＣの切断を決定する。つまり、移動局装置１ｃは、ＣＡ通信の中止を決定する。例えば、移動局装置１ｂの電池残量に関する測定情報、またはデータ量に関する測定情報が閾値以下であると、ＣＡ通信の切断を決定する（ＳＴ１０２）。
移動局装置１ｃは、通信環境関する情報およびＣＡ通信に関する情報（例えば、切断対象の基地局装置ＩＤ、周波数帯域、帯域幅など）、および切断対象となるＳＣＣの数に基づいて、ＳＣＣ切断要求を基地局装置２ｂへ送信する（ＳＴ１０３ｂ）。
基地局装置２ｂは、ＳＴ１０３ｂで送信されたＳＣＣ切断要求に基づいて、どのＳＣＣを切断するか決定する（ＳＴ１１２）。
基地局装置２ｂは、ＳＴ１１２の決定に基づき、基地局装置３へＳＣＣ切断準備要求を送信する（ＳＴ１０４）。
基地局装置３は、ＳＴ１０４で送信されたＳＣＣ切断準備要求に基づいて、基地局装置２ｂに対して、ＳＣＣ切断準備ＡＣＫを送信する（ＳＴ１０５）。
基地局装置２ｂは、ＳＴ１０５で送信されたＳＣＣ切断準備要求に基づいて、移動局装置１ｃに対して、ＳＣＣ切断準備要求を送信する（ＳＴ１０６）。
移動局装置１ｂは、ＳＴ１０６で送信されたＳＣＣ切断準備要求に基づいて、基地局装置３ａとの通信を切断する（ＳＴ１０７）。
移動局装置１ｂは、基地局装置２ａの第１のＣＣ、基地局装置３−２ａの第３のＣＣを用いてＣＡ通信サービスを行う（ＳＴ１０８ａ）。
【００８７】
このように、本実施形態は、基地局装置２ｂ、基地局装置３、基地局装置３−２、および移動局装置１ｃを具備する無線通信システムである。移動局装置１ｃは、基地局装置２ｂのＣＣと、基地局装置３のＣＣと、基地局装置３−２のＣＣを利用してＣＡ通信を行っている。移動局装置１ｃは、ＣＡ通信に利用しているＰＣＣからＳＣＣを切断するＳＣＣ切断要求を、ＰＣＣを利用して送信する。このとき、移動局装置１ｃは、ＳＣＣをいくつ切断するのかをＣＣデータ量情報を基に決定する。基地局装置２ｂは、ＳＣＣ切断要求に基づいてＣＣデータ量、トラフィック状況からどのＣＣを切断するか否かを判定し、ＣＡ通信中の基地局装置３のＳＣＣを切断する準備をさせるＳＣＣ切断準備要求を移動局装置１ｃへ送信する。これにより、基地局装置３のＳＣＣを切断し、基地局装置２、基地局装置３−２とＣＡ通信を行う。これにより、複数の基地局間でのＣＡ通信中にＳＣＣを切断することができる。
【００８８】
なお、本実施形態は、基地局装置２ｂをＰＣＣ、基地局装置３、基地局装置３−２をＳＣＣとした場合について述べているが、基地局装置２ｂ、基地局装置３−２をＳＣＣ、基地局装置３をＰＣＣとした場合、基地局装置３−２をＰＣＣ、基地局装置２ｂ、基地局装置３をＳＣＣとしてもよい。この場合、無線通信システムは、同様にＳＣＣの切断が可能である。
【００８９】
なお、上述した実施形態における移動局装置１、１ａ、１ｂ、１ｃ、第１の基地局装置２、２ａ、２ｂ、第２の基地局装置３、３ａ、３ｂの一部、または全部を、例えば、コンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１、１ａ、１ｂ、１ｃ、第１の基地局装置２、２ａ、２ｂ、第２の基地局装置３、３ａ、３ｂに内蔵されたコンピュータシステムであって、ＯＳや周辺機器等のハードウェアを含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９１】
また、上述した実施形態における移動局装置１、１ａ、１ｂ、１ｃ、第１の基地局装置２、２ａ、２ｂ、第２の基地局装置３、３ａ、３ｂの一部、または全部を、ＬＳＩ（Ｌａｒｇｅ  Ｓｃａｌｅ  Ｉｎｔｅｇｒａｔｉｏｎ）等の集積回路として実現しても良い。移動局装置１、１ａ、１ｂ、１ｃ、第１の基地局装置２、２ａ、２ｂ、第２の基地局装置３、３ａ、３ｂの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９３】
Ｓ１〜Ｓ３・・・無線通信システム
１、１ａ、１ｂ、１ｃ・・・移動局装置
２、２ａ、２ｂ・・・第１の基地局装置
３、３ａ、３ｂ・・・第２の基地局装置
４・・・コアネットワーク交換機
５１、５１ａ・・・第１のＣＣ（ＰＣＣ）
５２、５２ａ・・・第２のＣＣ（ＳＣＣ）
５３ａ・・・第３のＣＣ（ＳＣＣ）
ＣＥ１〜ＣＥ４・・・セル範囲
１０１・・・送受信アンテナ
１０２・・・無線部
１０３・・・送受信部
１０４・・・基本機能部
１０５・・・データ量検出部
１０６・・・ＣＡ情報記憶部
１０７・・・電池残量検出部
１０８・・・閾値記憶部
１０９ｂ・・・通信環境検出部
１１０ｃ・・・ＣＣ切断数決定部
１１，１１ａ・・・制御部
１１１・・・ＣＡ通信判定部
１１２・・・セルＩＤ検出部
１１３・・・切断要求部
１１４・・・制御データ処理部
１１５ａ・・・切断処理通知部
１２・・・切断処理部
２０１・・・送受信アンテナ
２０２・・・無線部
２０３・・・送受信部
２０４・・・データ通信部
２０５・・・制御信号通信部
２０６・・・切断要求処理部
２０７・・・ネットワーク通信部
２０８・・・制御信号処理部
２０９・・・切断準備要求部
２１０ａ・・・切断処理通知部
２１１ｂ・・・ＣＣ切断決定部
３０１・・・送受信アンテナ
３０２・・・無線部
３０３・・・送受信部
３０４・・・データ通信部
３０５・・・制御信号通信部
３０６・・・切断準備要求処理部
３０７・・・制御信号処理部
３０８・・・リソース管理部
３０９・・・ネットワーク通信部
３１０ａ・・・切断準備要求部
３１１ｂ・・・切断処理通知部
【図１】
2014003440.tif 000003
【図２】
2014003440.tif 000004
【図３】
2014003440.tif 000005
【図４】
2014003440.tif 000006
【図５】
2014003440.tif 000007
【図６】
2014003440.tif 000008
【図７】
2014003440.tif 000009
【図８】
2014003440.tif 000010
【図９】
2014003440.tif 000011
【図１０】
2014003440.tif 000012
【図１１】
2014003440.tif 000013
【図１２】
2014003440.tif 000014
【図１３】
2014003440.tif 000015
【図１４】
2014003440.tif 000016
【図１５】
2014003440.tif 000017
【図１６】
2014003440.tif 000018
【図１７】
2014003440.tif 000019
【図１８】
2014003440.tif 000020
【図１９】
2014003440.tif 000021
【図２０】
2014003440.tif 000022